【事件の表示】
　特願２００５−１６０８７３号「電気洗濯機」拒絶査定不服審判事件〔平成１８年１２月１４日出願公開、特開２００６−３３４０４９号〕について、次のとおり審決する。
【結　論】
　本件審判の請求は、成り立たない。
【理　由】
１．手続の経緯・本願発明
　本願は、平成１７年６月１日の出願であって、その請求項１に係る発明は、平成２３年１１月２４日付け手続補正書により補正された特許請求の範囲の請求項１に記載された次のとおりのものである。（以下「本願発明」という。）
「洗濯物を収容する洗濯槽と、前記洗濯槽を内包する外槽と、前記洗濯槽を駆動して該洗濯槽内の洗濯物を撹拌する駆動機構と、前記洗濯槽内の空気を循環させる乾燥空気循環系と、前記乾燥空気循環系内に冷却水を供給して循環空気を水冷除湿する給水機構と、前記乾燥空気循環系内で水冷除湿された循環空気を加熱する加熱手段と、前記外槽内を排水する排水機構と、前記駆動機構と給水機構と排水機構と加熱手段を制御する制御装置を備えた電気洗濯機において、
　前記制御装置は、前記洗濯槽を駆動して該洗濯槽内の衣類を撹拌するように前記駆動機構を動作させながら前記加熱手段を休止させた状態で前記乾燥空気循環系内に空気を循環させると共に給水して循環空気に含まれる花粉を水に吸着させて除去する花粉除去制御処理機能を備え、
　前記乾燥空気循環系は、該乾燥空気循環系を構成する水冷除湿風路における上昇風路内に設置した水冷除湿板と該水冷除湿板の表面を流れ落ちるように冷却水を供給して循環空気を水冷除湿する給水機構と、前記給水機構と水冷除湿された循環空気を加熱する加熱手段の間に糸屑フィルタを備え、
　前記制御装置における花粉除去制御処理機能は、乾燥した衣類を前記洗濯槽内に投入して花粉除去を行う花粉除去コースが設定された場合に機能して、前記循環空気が前記上昇風路内を通過するときに該上昇風路内に設置された水冷除湿板および該水冷除湿板の表面を流れ落ちる冷却水に触れさせて前記循環空気中に含まれる花粉を吸着除去した後に前記糸屑フィルタを通して更に花粉を捕集するように構成したことを特徴とする電気洗濯機。」
　
２．引用刊行物
（１）引用刊行物１
　これに対して、当審で通知した拒絶の理由に引用され、本願出願前に頒布された特開２００４−２０９０６５号公報（以下「引用刊行物１」という。）には、「洗濯乾燥機」が記載されており、図１〜６とともに以下の事項が記載されている。
ア．「外枠１の内部に複数のサスペンション２で支持した外槽３を設け、この外槽３その中に洗濯槽（兼脱水槽）４および該洗濯槽４の底部に位置させて撹拌用のパルセータ５を設ける。洗濯槽５とパルセータ５は、外槽３を貫通させた２重回転軸６によって回転自在に支持し、駆動部７によって選択的または一緒に回転駆動する。駆動部７は、可逆回転電動機と切換えクラッチ機構と減速機構を内蔵し、洗濯槽４を静止させた状態でパルセータ５の正逆回転を繰り返して洗濯物を撹拌する洗濯駆動と、洗濯槽４とパルセータ５を一体的に高速回転させて洗濯物を遠心脱水する脱水駆動と、洗濯槽４とパルセータ５を一体的に高速回転させて通風乾燥させた後に洗濯槽４を静止させてパルセータ５を正逆回転させて布解しする駆動を繰り返す乾燥駆動を行う。
　・・・(中略)・・・主制御回路基板１４は、前記操作パネル用制御回路基板１０における各種スイッチからの指示入力に従って、洗濯，脱水および乾燥運転制御を実行すると共にその設定状況と進行状況を表示するように操作パネル用制御回路基板１０上の表示素子群を制御する。
　外槽３の底部には排水口３ａを形成し、排水電磁弁１５を介して排水ホース１６を接続する。
　・・・(中略)・・・
　温風循環除湿装置１８は、図２に示すように、外槽３の下部に形成した吸出し口３ｂから上向きに伸びる水冷除湿風路部１８ａと、この水冷除湿風路部１８ａ内に縦長状態に設置した水冷金属板１８ｂと、この水冷金属板１８ｂに沿って流下させる冷却水１８ｃを前記冷却給水電磁弁１３から供給する給水パイプ１８ｄと、前記水冷除湿風路部１８ａの上端から折り返して下向きに形成した下降風路部１８ｅと、この下降風路部１８ｅの上端部に設置したフィルター１８ｆと、この下降風路部１８ｅ内の下部に設けた湿度センサ１８ｇおよび温度センサ１８ｍと、下降風路部１８ｅの下端部に吸気口を接続して設けた電動送風ファン１８ｈと、この電動送風ファン１８ｈの吐出口から上向きの伸びる上昇風路部１８ｉと、この上昇風路部１８ｉの先端に設けた吹出し口部１８ｊと、この吹出し口部１８ｊに内蔵したＰＴＣヒータ１８ｋを備える。
　この洗濯乾燥機の電気回路は、図３に示すように、電源スイッチ１０１を介して受電する主制御回路基板１４に実装する主制御装置は、マイクロコンピュータ１４１を中心にして構成し、電源回路１４２と、前記駆動装置７と・・・(中略)・・・排水電磁弁１５と電動送風ファン１８ｈとＰＴＣヒータ１８ｋと冷却給水電磁弁１３への給電を制御するための半導体交流スイッチング素子（ＦＬＳ）群を有する駆動回路１４３を備える。」（段落【００１２】〜【００１８】）
イ．「このように洗濯および遠心脱水した洗濯物を洗濯槽４内で乾燥させるように、洗濯槽４とパルセータ５を一体的または反対方向に回転させるように駆動装置１４３を制御し、外槽３および洗濯槽４内の湿潤空気を吸出し口３ｂから吸い出して吹出し口１８ｊから洗濯槽４内に吹き込む循環空気を生成するように電動送風ファン１８ｈを運転制御し、この循環空気を水冷除湿風路部１８ａ内で水冷除湿するように冷却給水電磁弁１３を開弁制御し、洗濯槽４に吹き込む空気を加熱するようにＰＴＣヒータ１８ｋを制御する温風乾燥工程を実行する。」（段落【００３４】）
ウ．「除湿された循環空気は、フィルター１８ｆを通過させて空気中に含まれる糸屑や布屑が捕捉した後に電動送風ファン１８ｈに戻し、再び送り出す。」（段落【００３８】）
　上記ア．〜ウ．の記載事項及び図面を総合すると、引用刊行物１には、以下の発明（以下「引用発明」という。）が記載されていると認められる。
「パルセータ５の正逆回転を繰り返して洗濯物を撹拌する洗濯駆動と、洗濯槽４とパルセータ５を一体的に高速回転させて洗濯物を遠心脱水する脱水駆動と、洗濯槽４とパルセータ５を一体的に高速回転させて通風乾燥させた後に洗濯槽４を静止させてパルセータ５を正逆回転させて布解しする駆動を繰り返す乾燥駆動を行う洗濯槽（兼脱水槽）４及び撹拌用のパルセータ５と、
その中に洗濯槽４および該洗濯槽４の底部に位置させて撹拌用のパルセータ５を設ける外槽３と、
可逆回転電動機と切換えクラッチ機構と減速機構を内蔵し、洗濯槽５とパルセータ５を２重回転軸６によって回転自在に支持し、選択的または一緒に回転駆動する駆動部７と、
外槽３および洗濯槽４内の湿潤空気を吸出し口３ｂから吸い出して吹出し口１８ｊから洗濯槽４内に吹き込む循環空気を生成するように電動送風ファン１８ｈを運転制御し温風乾燥工程を実行する温風循環除湿装置１８であって、外槽３の下部に形成した吸出し口３ｂから上向きに伸びる水冷除湿風路部１８ａと、この水冷除湿風路部１８ａ内に縦長状態に設置した水冷金属板１８ｂと、この水冷金属板１８ｂに沿って流下させる冷却水１８ｃを冷却給水電磁弁１３から供給して循環空気を水冷除湿風路部１８ａ内で水冷除湿する給水パイプ１８ｄと、前記水冷除湿風路部１８ａの上端から折り返して下向きに形成した下降風路部１８ｅと、この下降風路部１８ｅの上端部に設置した糸屑や布屑が捕捉するフィルター１８ｆと、下降風路部１８ｅの下端部に吸気口を接続して設けた電動送風ファン１８ｈと、この電動送風ファン１８ｈの吐出口から上向きの伸びる上昇風路部１８ｉと、この上昇風路部１８ｉの先端に設けた吹出し口部１８ｊと、この吹出し口部１８ｊに内蔵した洗濯槽４に吹き込む空気を加熱するＰＴＣヒータ１８ｋを備える温風循環除湿装置１８と、
外槽３の底部に形成される排水口３ａに排水電磁弁１５を介して接続する排水ホース１６と、
洗濯，脱水および乾燥運転制御を実行する、駆動部７と排水電磁弁１５と電動送風ファン１８ｈとＰＴＣヒータ１８ｋと冷却給水電磁弁１３への給電を制御する駆動回路１４３を備える主制御回路基板１４に実装する主制御装置を備えた洗濯乾燥機において、
　主制御回路基板１４に実装する主制御装置は、洗濯槽４を静止させてパルセータ５を正逆回転させて布解しする駆動を繰り返す乾燥駆動を行いながら、外槽３および洗濯槽４内の湿潤空気を吸出し口３ｂから吸い出して吹出し口１８ｊから洗濯槽４内に吹き込む循環空気を生成するように電動送風ファン１８ｈを運転制御し、この循環空気を水冷除湿風路部１８ａ内で水冷除湿するように冷却給水電磁弁１３を開弁制御し、洗濯槽４に吹き込む空気を加熱するようにＰＴＣヒータ１８ｋを制御する温風乾燥工程を備える洗濯乾燥機。」
　
（２）引用刊行物２
　同じく引用され、本願出願前に頒布された特開２００１−７８９号公報（以下「引用刊行物２」という。）には、図１〜７とともに以下の事項が記載されている。
ア．「衣類を収容したドラム内にヒータで加熱した空気を送り込み、該ドラムを通過した空気を冷却して除湿したあとに乾燥風を循環させる乾燥運転を行う衣類乾燥機において、空気の循環風路の途中に微細な塵埃を除去するフィルタを配設し、ヒータを駆動せずにドラムを回転させつつ該ドラム内に送風を行う運転コースを選択可能に備えたことを特徴とする衣類乾燥機。」（請求項１）
イ．「このような衣類乾燥機では、衣類から出る糸屑や綿埃などの微小な固形物、ダニ、ダニの死骸、花粉などの微細塵埃等を循環する空気から除去するために、ドラムの空気出口にフィルタが設けられている。」（段落【０００３】）
ウ．「請求項１に記載の衣類乾燥機において、上記運転コースは花粉取りを行うための運転コースである。この運転コースが選択されると、ヒータによる加熱は行われず、ドラムを回転させることによって衣類を撹拌しながら、ドラムに加熱しない空気を通過させる。ドラム内で撹拌されることによって衣類に付着していた花粉は飛散し、空気流に乗って運び去られてフィルタに捕集される。勿論、通常の乾燥運転のコースが選択された場合には、ヒータにより加熱された空気がドラム内へと送り込まれ、ドラム内の衣類は乾燥される。
　請求項１に記載の衣類乾燥機では、例えば、既に十分に日光で乾かした衣類に付着している花粉の除去を行いたい場合に、花粉取り専用の運転コースを用いれば、最も電力を消費するヒータが作動しないので電気代が安価ですむ。また、衣類の過剰な乾燥がないので、衣類の布傷みも抑制することができる。」（段落【０００９】及び【００１０】）
エ．「ドラム１３の背面には、金属製又は樹脂製メッシュのフィルタで空気出口１５を被覆した固定フィルタ８０が設けられ、その前面に、不織布から成る中間フィルタ８１、メッシュ状のリントフィルタ８２、及びポリプロピレン樹脂製の不織布から成る微細塵埃フィルタ８３を介して、樹脂製のフィルタカバー８４が取り付けられる。微細塵埃フィルタ８３は、ダニの糞や死骸のかけら（２〜５μｍ程度）、花粉（１０〜１００μｍ）などの微細塵を捕集可能な、目のごく細かいフィルタであって、しかも、捕集した花粉を吸着するように予め静電気が付与された静電フィルタである。従って、両面ファン２０が回転して上述のようにドラム１３に空気が供給され、その空気がフィルタ１６を通過すると、衣類から出た糸屑や綿埃が除去されるのは勿論のこと、上記のような微細な固形物も確実に除去される。」（段落【００２５】）
　
（３）引用刊行物３
　同じく引用され、本願出願前に頒布された特開平４−１６１１９６号公報（以下「引用刊行物３」という。）には、第１〜３図とともに以下の事項が記載されている。
ア．「上記のような洗濯乾燥機においては、最近、問題となっているダニアレルゲンによる大気汚染（ダニ汚染）を積極的に防止することができない。すなわち、アレルギーの一因となる、ダニの死骸や微細塵などのダニアレルゲンを積極的に除去し、またその飛散を防いで機外へ排出することができない。
　さらに詳しく説明すると、上記した従来のドラム式洗濯乾燥機には、糸屑や綿ほこりなどの大きな塵を捕獲除去するフイルタは備わっているが、そのようなフイルタでは、通常μｍ単位であるダニアレルゲンを捕獲・除去することができない。・・・（中略）・・・
　本発明は、上記に鑑み、洗濯物に付着しているダニアレルゲンを有効に除去することのできるドラム式洗濯乾燥機の提供を目的とする。
　＜課題を解決するための手段＞
（１）本発明請求項１による課題解決手段は、第１図の如く、水槽２２内で回転可能に支持され周壁に通水及び通風の為の多数の通孔２４ａを有する洗濯物収容ドラム２４と、温風をドラム２４内に導入しドラム２４の通孔２４ａ及び水槽２２を介して循環させる温風循環手段２５とを備えたドラム式洗濯乾燥機において、前記温風循環手段２５の経路内に散水することにより、温風中の湿気を液化させて除去し洗濯物の乾燥を進行させ、かつ温風中のダニアレルゲンを捕獲除去する散水手段２８が設けられたものである。
（２）また、請求項２による課題解決手段は、請求項１記載のドラム式洗濯乾燥機において、温風循環手段２５及び散水手段２８を制御して除湿乾燥工程及びダニアレルゲン除去工程を実行させる制御装置が設けられ、該制御装置は、除湿乾燥工程を行なう場合と、ダニアレルゲン除去工程を行なう場合とで散水手段２８の単位時間当たりの散水量を変更する機能が有せしめられたものである。」（第２頁右上欄第９行〜右下欄第１１行）
イ．「第１図の如く、本実施例のドラム式洗濯乾燥機は、外装である外箱２１と、該外箱２１内にスプリング（図示せず）で吊り下げられた水槽２２と、該水槽２２の内側で水平軸２３周りに回転可能に支持され周壁に通水及び通風の為の多数の通孔２４ａを有する洗濯物収容ドラム２４と、温風をドラム２４内に導入しドラム２４の通孔２４ａ及び水槽２２を介して循環させる温風循環手段２５と、洗濯用の水道水を水槽２２及びドラム２４内に供給するための給水手段２６と、機外へ排水するための排水手段２７とを備え、前記温風循環手段２５の経路内に散水することにより、温風中の湿気を液化させて除去し洗濯物の乾燥を進行させ、かつ温水中のダニアレルゲンを捕獲除去する散水手段２８が設けられている。
　前記ドラム２４は、円筒形状をしており、水槽２２に取り付けられたドラムモータ２９によって回転駆動される。・・・（中略）・・・
　前記温風循環手段２５は、ドラム２４の周囲に設けられた温風循環経路４２，４３，４４と、中間部の温風循環経路４３に配された温風供給用送風機４５及びヒータ４６とを備え、線矢印に沿って５０℃以上の温度が循環するようになっている。
　・・・（中略）・・・なお、排水管５０は、温風循環経路４４にも連通接続されている。
　前記散水手段２８は、温風循環経路４４及び給水路４７に連通接続された散水路５２と、２つの散水用電磁弁５３，５４とを備えている。・・・（中略）・・・
　そして、本実施例のドラム式洗濯乾燥機には、温風循環手段２５及び散水手段２８を制御して除湿乾燥工程及びダニアレルゲン除去工程を実行させる制御装置が設けられ、・・・（中略）・・・制御装置は、除湿乾燥工程を選択した際には、・・・（中略）・・・散水路５２より温風循環経路４４内に０．６〜０．８ｌ／分て散水させる機能と、ダニアレルゲン工程を選択した際には、・・・（中略）・・・散水路５２より温風循環経路４４内にｌ〜２ｌ／分で散水させる機能とを有しいる。」（第３頁右上欄第１４行〜第４頁右上欄第１６行）
ウ．「上記構成において、洗濯物をドラム２４内に収容したままで、洗い工程、濯ぎ工程、脱水工程及び乾燥工程が行なわれる。
　乾燥工程においては、温風循環手段２５を構成する送風機４５、ヒータ４６によりドラム２４内の洗濯物に５０℃以上の温風が供給されるが、循環温風中には湿気が含まれる。
　このとき、除湿乾燥工程を選択していると、・・・（中略）・・・散水路５２より温風循環手段２５の温風循環経路４４中に０．６〜０．８ｌ／分の散水が行なわれるので、循環温風中の湿気を散水した液中に液化して除湿した後、再び温風循環手段２５のヒータ部を通過させ加熱して循環させることができる。
　したがって、効率的に洗濯物の乾燥を進行させることができる。
　また、ドラム２４を正逆回転させることにより撹拌盤３６を回転、停止させて洗濯物に外力を与えるとともに、温風循環手段２５により所定温度の温風を供給することによって、洗濯物からダニアレルゲンが離脱して温風中に浮遊する場合かある。
　このとき、洗い工程前あるいは除湿乾燥工程後にダニアレルゲン除去工程を選択していると、・・・（中略）・・・散水路５２より温風循環経路４４中に１〜２ｌ／分の散水が行なわれる。この散水された水によって温風中に浮遊したダニアレルゲンが捕獲除去され、排水管５０へ排水される。
　かくして、ダニアレルゲンは水とともに機外へ排出されため、室内へ飛散することはない。
　したがって、洗濯物に付着しているダニアレルゲンを有効に除去することができる。」（第４頁左下欄第１行〜右下欄第１８行）
エ．「また、除湿乾燥と、ダニアレルゲン除去とを同じ散水手段２８で効率よく行なうことができるのて、除湿用の熱交換器や、専用のダニアレルゲン捕獲装置を必要とせず、構造の簡略化、機器の軽量を図ることができる。」（第５頁左上欄第１９行〜右上欄第３行）
　
３．対比・判断
　本願発明と引用発明とを対比すると、後者の「パルセータ５の正逆回転を繰り返して洗濯物を撹拌する洗濯駆動と、洗濯槽４とパルセータ５を一体的に高速回転させて洗濯物を遠心脱水する脱水駆動と、洗濯槽４とパルセータ５を一体的に高速回転させて通風乾燥させた後に洗濯槽４を静止させてパルセータ５を正逆回転させて布解しする駆動を繰り返す乾燥駆動を行う洗濯槽（兼脱水槽）４及び撹拌用のパルセータ５」は、その機能・構成からみて、前者の「洗濯物を収容する洗濯槽」に相当し、以下同様に、後者の「その中に洗濯槽４および該洗濯槽４の底部に位置させて撹拌用のパルセータ５を設ける外槽３」は前者の「洗濯槽を内包する外槽」に、後者の「可逆回転電動機と切換えクラッチ機構と減速機構を内蔵し、洗濯槽５とパルセータ５を２重回転軸６によって回転自在に支持し、選択的または一緒に回転駆動する駆動部７」は前者の「洗濯槽を駆動」「する駆動機構」に、後者の「外槽３および洗濯槽４内の湿潤空気を吸出し口３ｂから吸い出して吹出し口１８ｊから洗濯槽４内に吹き込む循環空気を生成するように電動送風ファン１８ｈを運転制御し温風乾燥工程を実行する温風循環除湿装置１８」は前者の「洗濯槽内の空気を循環させる乾燥空気循環系」に、後者の「冷却水１８ｃを冷却給水電磁弁１３から供給して循環空気を水冷除湿風路部１８ａ内で水冷除湿する給水パイプ１８ｄ」は前者の「冷却水を供給して循環空気を水冷除湿する給水機構」に、後者の「上昇風路部１８ｉの先端に設けた吹出し口部１８ｊ」は前者の「加熱手段」に、後者の「外槽３の底部に形成される排水口３ａに排水電磁弁１５を介して接続する排水ホース１６」は前者の「外槽内を排水する排水機構」に、後者の「洗濯，脱水および乾燥運転制御を実行する、駆動部７と排水電磁弁１５と電動送風ファン１８ｈとＰＴＣヒータ１８ｋと冷却給水電磁弁１３への給電を制御する駆動回路１４３を備える主制御回路基板１４に実装する主制御装置」は前者の「駆動機構と給水機構と排水機構と加熱手段を制御する制御装置」にそれぞれ相当する。
　また、後者の「可逆回転電動機と切換えクラッチ機構と減速機構を内蔵し、洗濯槽５とパルセータ５を２重回転軸６によって回転自在に支持し、選択的または一緒に回転駆動する駆動部７」は、「洗濯槽（兼脱水槽）４及び撹拌用のパルセータ５」について、「パルセータ５の正逆回転を繰り返して洗濯物を撹拌する洗濯駆動と、洗濯槽４とパルセータ５を一体的に高速回転させて洗濯物を遠心脱水する脱水駆動と、洗濯槽４とパルセータ５を一体的に高速回転させて通風乾燥させた後に洗濯槽４を静止させてパルセータ５を正逆回転させて布解しする駆動を繰り返す乾燥駆動を行う」ものであるから、前者の「洗濯槽を駆動して該洗濯槽内の洗濯物を撹拌する」「駆動機構」に相当し、かつ「可逆回転電動機」により駆動されるから、後者の「洗濯乾燥機」は前者の「電気洗濯機」に相当する。
　後者の「ＰＴＣヒータ１８ｋ」は温風循環除湿装置１８に備えられ、「水冷除湿風路部１８ａ内で水冷除湿」された後に、「吹出し口部１８ｊに内蔵」され「洗濯槽４に吹き込む空気を加熱する」ものであるから、前者の「乾燥空気循環系内で水冷除湿された循環空気を加熱する加熱手段」に相当する。
　後者の「水冷除湿風路部１８ａ内に縦長状態に設置した水冷金属板１８ｂ」は、「水冷除湿風路部１８ａ」が「外槽３の下部に形成した吸出し口３ｂから上向きに伸びる」「温風循環除湿装置１８」に備えられるものであるから、前者の「乾燥空気循環系を構成する水冷除湿風路における上昇風路内に設置した水冷除湿板」に相当し、後者の「この水冷金属板１８ｂに沿って流下させる冷却水１８ｃを冷却給水電磁弁１３から供給して循環空気を水冷除湿風路部１８ａ内で水冷除湿する給水パイプ１８ｄ」は前者の「水冷除湿板の表面を流れ落ちるように冷却水を供給して循環空気を水冷除湿する給水機構」に相当する。
　後者の「この下降風路部１８ｅの上端部に設置した糸屑や布屑が捕捉するフィルター１８ｆ」は給水パイプ１８ｄにより冷却水１８ｃを流下させる水冷金属板１８ｂのに沿って設置された、「下部に形成した吸出し口３ｂから上向きに伸びる水冷除湿風路部１８ａ」の上端部に設置され、ＰＴＣヒータ１８ｋが洗濯槽４内に吹き込む「吹出し口部１８ｊに内蔵した」ものであるから、前者の「給水機構と水冷除湿された循環空気を加熱する加熱手段の間に糸屑フィルタ」に相当し、乾燥空気循環系に備えられるものである。
　そして後者の「主制御回路基板１４に実装する主制御装置は、洗濯槽４を静止させてパルセータ５を正逆回転させて布解しする駆動を繰り返す乾燥駆動を行いながら、外槽３および洗濯槽４内の湿潤空気を吸出し口３ｂから吸い出して吹出し口１８ｊから洗濯槽４内に吹き込む循環空気を生成するように電動送風ファン１８ｈを運転制御し、この循環空気を水冷除湿風路部１８ａ内で水冷除湿するように冷却給水電磁弁１３を開弁制御し、洗濯槽４に吹き込む空気を加熱するようにＰＴＣヒータ１８ｋを制御する温風乾燥工程」と前者の「制御装置は、前記洗濯槽を駆動して該洗濯槽内の衣類を撹拌するように前記駆動機構を動作させながら前記加熱手段を休止させた状態で前記乾燥空気循環系内に空気を循環させると共に給水して循環空気に含まれる花粉を水に吸着させて除去する花粉除去制御処理機能」とは、「制御装置は、前記洗濯槽を駆動して該洗濯槽内の衣類を撹拌するように前記駆動機構を動作させながら」「乾燥空気循環系内に空気を循環させると共に給水」する態様で制御される限りにおいて共通する。
　そうすると、両者は、
「洗濯物を収容する洗濯槽と、前記洗濯槽を内包する外槽と、前記洗濯槽を駆動して該洗濯槽内の洗濯物を撹拌する駆動機構と、前記洗濯槽内の空気を循環させる乾燥空気循環系と、前記乾燥空気循環系内に冷却水を供給して循環空気を水冷除湿する給水機構と、前記乾燥空気循環系内で水冷除湿された循環空気を加熱する加熱手段と、前記外槽内を排水する排水機構と、前記駆動機構と給水機構と排水機構と加熱手段を制御する制御装置を備えた電気洗濯機において、
　前記乾燥空気循環系は、該乾燥空気循環系を構成する水冷除湿風路における上昇風路内に設置した水冷除湿板と該水冷除湿板の表面を流れ落ちるように冷却水を供給して循環空気を水冷除湿する給水機構と、前記給水機構と水冷除湿された循環空気を加熱する加熱手段の間に糸屑フィルタを備えた電気洗濯機。」である点で一致し、以下の点で相違しているものと認められる。
　
相違点：本願発明が「制御装置は、前記洗濯槽を駆動して該洗濯槽内の衣類を撹拌するように前記駆動機構を動作させながら前記加熱手段を休止させた状態で前記乾燥空気循環系内に空気を循環させると共に給水して循環空気に含まれる花粉を水に吸着させて除去する花粉除去制御処理機能を備え」、「制御装置における花粉除去制御処理機能は、乾燥した衣類を前記洗濯槽内に投入して花粉除去を行う花粉除去コースが設定された場合に機能して、前記循環空気が前記上昇風路内を通過するときに該上昇風路内に設置された水冷除湿板および該水冷除湿板の表面を流れ落ちる冷却水に触れさせて前記循環空気中に含まれる花粉を吸着除去した後に前記糸屑フィルタを通して更に花粉を捕集するように構成」ているのに対して、引用発明は温風乾燥工程において「主制御回路基板１４に実装する主制御装置は、洗濯槽４を静止させてパルセータ５を正逆回転させて布解しする駆動を繰り返す乾燥駆動を行いながら、外槽３および洗濯槽４内の湿潤空気を吸出し口３ｂから吸い出して吹出し口１８ｊから洗濯槽４内に吹き込む循環空気を生成するように電動送風ファン１８ｈを運転制御し、この循環空気を水冷除湿風路部１８ａ内で水冷除湿するように冷却給水電磁弁１３を開弁制御し、洗濯槽４に吹き込む空気を加熱するようにＰＴＣヒータ１８ｋを制御する」ものの、花粉除去制御処理機能を有さず、花粉除去コースも設定するようになっていない点。
　
　そこで、上記相違点について検討する。
（１）花粉除去コースについて
　引用刊行物２には、衣類乾燥機であって、ドラムの空気出口に設けられる、金属製又は樹脂製メッシュの固定フィルタ８０、不織布から成る中間フィルタ８１、メッシュ状のリントフィルタ８２、及びポリプロピレン樹脂製の不織布から成る微細塵埃フィルタ８３ではあるものの、衣類から出る糸屑や綿埃などの微小な固形物、ダニ、ダニの死骸、花粉などの微細塵埃等を循環する空気から除去するために、乾燥運転のコースとは別に花粉取りを行うための運転コースを選択可能に備え、例えば、既に十分に日光で乾かした衣類に付着している花粉の除去を行いたい場合に、ヒータによる加熱は行われず、ドラムを回転させることによって衣類を撹拌しながら、ドラムに加熱しない空気を通過させることやヒータが作動しないので電気代が安価ですみ、衣類の過剰な乾燥がないので衣類の布傷みも抑制できることが示されている。
　引用発明も温風乾燥工程を備える洗濯乾燥機であって、同じく家庭で衣類等を処理するものであるから、引用発明の洗濯乾燥機にも、既に十分に日光で乾かした衣類に付着している花粉の除去を行いたい場合に花粉取りを行うための運転コースを選択可能に設けることは当業者が容易に想到し得たことである。
　そうすると、引用発明における温風乾燥工程において、乾燥の洗濯槽４内に乾かした衣類を投入して、ＰＴＣヒータ１８ｋによる加熱は行わずに、衣類を撹拌して洗濯槽４内に加熱しない空気を通過させるように、主制御回路基板１４に実装する主制御装置により制御するようなすことも当業者にとって適宜なし得た設計的事項といえる。
（２）花粉除去制御処理機能について
ア．ところで、引用刊行物２はドラムによる衣類乾燥機であって、ドラムの空気出口に、もともと衣類から出る糸屑や綿埃などの微小な固形物、ダニ、ダニの死骸、花粉などの微細塵埃等を循環する空気から除去するための、金属製又は樹脂製メッシュの固定フィルタ８０、不織布から成る中間フィルタ８１、メッシュ状のリントフィルタ８２、及びポリプロピレン樹脂製の不織布から成る微細塵埃フィルタ８３が設けられているものである。
　引用発明は洗濯・脱水も行う洗濯乾燥機であって、そのようなドラムの空気出口にフィルタを有するものではなく、温風循環除湿装置１８のフィルター１８ｆも糸屑や布屑が捕捉するのみであって、引用刊行物２に記載のフィルタをそのまま引用発明に用いるのではなく、より適したものとすることは当業者に通常考慮することである。
イ．一方、引用刊行物３には、引用発明と同様の洗い工程、濯ぎ工程、脱水工程及び乾燥工程を有する洗濯乾燥機において、
糸屑や綿ほこりなどの大きな塵を捕獲除去するフイルタは備わっているものの、ダニの死骸や微細塵などのダニアレルゲンを捕獲・除去することができないことに鑑み、洗濯物に付着しているダニアレルゲンを有効に除去することのできるようなすものであって、
乾燥工程においてはドラム２４を正逆回転させ、温風循環手段２５を構成する送風機４５、ヒータ４６によりドラム２４内の洗濯物に５０℃以上の温風が供給され、散水路５２より温風循環手段２５の温風循環経路４４中に０．６〜０．８ｌ／分で散水が行なわれて循環温風中の湿気を除湿した後、ヒータ部を通過させ加熱して循環させるものにおいて、
洗い工程前あるいは除湿乾燥工程後にダニアレルゲン除去工程を選択していると、散水路５２より温風循環経路４４中に１〜２ｌ／分の散水が行なわれ、この散水された水によって温風中に浮遊したダニアレルゲンが捕獲除去され、排水管５０へ排水され、ダニアレルゲンは水とともに機外へ排出されため、室内へ飛散することはなく、したがって、洗濯物に付着しているダニアレルゲンを有効に除去することができること、そして、除湿乾燥とダニアレルゲン除去とを同じ散水手段２８で効率よく行なうことができるのて、除湿用の熱交換器や、専用のダニアレルゲン捕獲装置を必要とせず、構造の簡略化、機器の軽量を図ることができることが示されている。
ウ．引用刊行物３のものは、温風循環経路の湿気を除湿する水によりダニアレルゲンを捕獲するものであり、さらに、ダニの死骸だけでなく微細塵なども含むものであって他のものを捕獲し得ないというものではない。
　２．（２）エ．で摘記したように、引用刊行物２には、ダニアレルゲンであるダニの糞や死骸のかけら（２〜５μｍ程度）は花粉（１０〜１００μｍ）より小さいものであることが記載されており、さらに、水の表面に風を当てて花粉を除去することが特開２００１−３２１６２８号公報、特開２００４−１５０６４８号公報等にも示されているように、水により花粉を除去することもよく知られていることである。
　引用刊行物２のものも、花粉取りを行うための運転コースとしつつも、花粉に加えて、衣類から出る糸屑や綿埃などの微小な固形物、ダニ、ダニの死骸などの微細塵埃等を除去するものである。本願発明においても、花粉とは雑菌や臭気成分や塵を含めたものとしている（本願明細書の段落【０１２６】参照。）。
　したがって、引用発明に花粉取りを行うための運転コースを選択可能に設けるにあたり、引用発明と同様の温風循環手段を有する洗濯乾燥機である引用刊行物３に示される事項を参照して、除湿乾燥工程で用いられる温風循環手段での除湿のための水によって、ダニの死骸や微細塵などのダニアレルゲンを取る手段を、花粉取りのために用いることは、当業者が格別の困難性を要することなくなし得たことといえる。
　そして、引用発明の水冷除湿するための水冷除湿風路部１８ａの水冷金属板１８ｂに沿って流下させる冷却水１８ｃにより花粉を除去すべく、水冷除湿するように冷却給水電磁弁１３を開弁制御し、かつ、上記（１）で述べたように、ＰＴＣヒータ１８ｋによる加熱は行わず、また、衣類を撹拌して洗濯槽４内に加熱しない空気を通過させるよう、洗濯槽４を静止させてパルセータ５を正逆回転させるよう乾燥駆動し、循環空気を生成するように電動送風ファン１８ｈを運転すべく、主制御回路基板１４に実装する主制御装置により制御するようなすことも、当業者が容易になし得たことである。
　さらに、引用刊行物３には、水による除湿用手段を兼用することで、除湿用の熱交換器や専用のダニアレルゲン捕獲装置を必要とせず、構造の簡略化、機器の軽量を図ることも記載されていることからも、引用発明の水冷除湿風路部１８ａやこれを含めた温風循環除湿装置１８の構成をそのまま用いることに格別の困難性はない。
　また、引用発明の糸屑や布屑が捕捉するフィルター１８ｆは水冷除湿風路部１８ａの後に設置されるものであるから、本願発明と同様といえ、例えこれが花粉をも捕集できるものとしても、よりよく花粉を除去すべく、花粉を捕集出来るものとすることもそのようなフィルタが引用刊行物２に示されるように従来より周知であって、当業者が必要に応じて適宜なし得た事項である。
　
　以上のようであるから、上記相違点に係る本願発明の構成とすることは当業者が容易になし得たことといえる。そして、このことによる明細書記載の効果についても当業者が容易に想到し得たことであって、格別とはいえない。
　
４．むすび
　したがって、本願発明は、引用発明、引用刊行物２及び３に記載された事項並びに周知の事項に基づいて、当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。